(57)【要約】      （修正有）【課題】収納できる携帯しやすいハンガーラックを提供する。【解決手段】底ブロック１５を含み、底ブロックの中には中ブロック１６が上下にスライドできるように設置され、中ブロックの中には頂ブロック１１が上下にスライドできるように設置され、底ブロックの中には支持チャンバが設置され、支持チャンバの中には支持機構２００が設置され、頂ブロックの中には物干しチャンバが設置され、物干しチャンバの中には物干し装置３００が設置される。頂ブロックの中には伝動装置１００が設置され、伝動装置には伸縮機構が設置され、駆動機構は伝動装置により支持機構及び物干し装置を連動させて回転させることができる。伝動機構によりハンガーラックの収縮を連動させることができる。構成が簡単で、操作が便利で、収納しやすく、使用される時も使用されていない時もあまりスペースを取らなく、空間の利用率を高め、同時に、この設備の遠距離輸送のコストを下げる。【選択図】図１
2020146421.tif 000002
【特許請求の範囲】
【請求項１】
底ブロックを含み、前記底ブロックの中には中ブロックが上下にスライドできるように設置され、前記中ブロックの中には頂ブロックが上下にスライドできるように設置され、前記底ブロックの中には支持チャンバが設置され、前記支持チャンバの中には支持機構が設置され、前記頂ブロックの中には物干しチャンバが設置され、前記物干しチャンバの中には物干し装置が設置され、前記頂ブロックの下壁の中には動力チャンバが設置され、前記動力チャンバの中には駆動機構が設置され、前記駆動機構は動力軸及びモータを含み、前記動力軸が前記動力チャンバの中に回転できるように設置され、前記モータが前記動力チャンバの右壁の中に固定的に設置され、前記動力軸が前記モータと動力が伝達できるように連結され、前記動力軸の左端には第一プライマリベベルギヤが固定的に設置され、前記頂ブロックの中には伝動装置が設置され、前記伝動装置には伸縮機構が設置され、前記駆動機構は前記伝動装置により前記支持機構及び前記物干し装置を連動させて回転させることができる；本発明設備は前記伝動機構によりハンガーラックの収縮を連動させることができることを特徴とする収納できる携帯しやすいハンガーラック。
【請求項２】
前記動力チャンバの下壁の中には上伝動チャンバが設置され、前記伝動装置は前記上伝動チャンバの中に設置される外軸を含み、前記外軸の中には中軸がスライドできるように設置され、前記中軸が前記外軸とスプラインにより係合され、前記中軸の中には内軸がスライドできるように設置され、前記内軸が前記中軸とスプラインにより係合され、前記外軸の頂端には前記第一プライマリベベルギヤと噛み合っている上伝動ベベルギヤが設置され、前記外軸の外壁には伝動ギヤが固定的に設置され、前記支持チャンバの左壁の中には下伝動チャンバが設置され、前記内軸の底端には下伝動ベベルギヤが固定的に設置され、前記伸縮機構は前記中軸の底端に設置される下ネジロッドを含み、前記下ネジロッドと前記底ブロックの内壁とがネジ山により係合され、前記外軸の底端には上ネジロッドが設置され、前記上ネジロッドと前記中ブロックの内壁とがネジ山により係合される；本発明設備は前記伝動機構により動力を各機構に伝達することを特徴とする請求項１に記載の収納できる携帯しやすいハンガーラック。
【請求項３】
前記底ブロックの中には四組の前記支持チャンバが対称的に設置され、ここは図に示した右側の一組を例として詳しく説明し、前記支持機構は前記支持チャンバの中に設置される支持脚を含み、前記支持チャンバの中には右軸が回転できるように設置され、前記右軸の後端には前記支持脚と噛み合っている支持ギヤが固定的に設置され、前記右軸の前端にはセカンダリプーリが固定的に設置され、前記支持チャンバの中には左軸が回転できるように設置され、前記左軸の前端にはプライマリプーリが固定的に設置され、前記プライマリプーリと前記セカンダリプーリとの間にはベルトが伝動できるように設置され、前記左軸の後端には支持ベベルギヤが固定的に設置され、前記下伝動チャンバの中には延伸軸が回転できるように設置され、前記延伸軸の右端には前記支持ベベルギヤと噛み合っているセカンダリベベルギヤが固定的に設置され、前記延伸軸の左端には前記下伝動ベベルギヤと噛み合っている第二プライマリベベルギヤが固定的に設置され、前記支持チャンバの頂端の中には第一リミット溝が設置され、前記第一リミット溝の中には第一永久磁石がスライドできるように設置され、前記第一永久磁石が前記支持脚と係合され、前記第一リミット溝の左壁の中には第一電磁石が設置され、前記第一電磁石と前記第一永久磁石との間には第一ばねが弾性的に設置される；前記支持脚が変位しないことを保証し、本発明設備の安定性を保証することを特徴とする請求項１に記載の収納できる携帯しやすいハンガーラック。
【請求項４】
前記頂ブロックの中には四組の前記物干しチャンバが対称的に設置され、ここは図に示した右側の一組を例として詳しく説明し、前記物干し装置は前記物干しチャンバの中に設置される物干しロッドを含み、前記物干しチャンバの左壁の中には延伸チャンバが設置され、前記物干しチャンバの中には縦軸が設置され、前記縦軸の後端には前記物干しロッドと噛み合っている物干しギヤが固定的に設置され、前記縦軸の前端には副ベベルギヤが固定的に設置され、前記物干しチャンバの中には横軸が回転できるように設置され、前記横軸の右端には前記副ベベルギヤと噛み合っている右ベベルギヤが固定的に設置され、前記横軸の左端には左ベベルギヤが固定的に設置され、前記延伸チャンバの中には鉛直軸が回転できるように設置され、前記鉛直軸の頂端には前記左ベベルギヤと噛み合っている正ベベルギヤが固定的に設置され、前記鉛直軸の底端には前記伝動ギヤと噛み合っている物干し主ギヤが固定的に設置され、前記物干しチャンバの右壁の中には第二リミット溝が設置され、前記第二リミット溝の中には第二永久磁石がスライドできるように設置され、前記第二永久磁石が前記物干しロッドと係合され、前記第二リミット溝の頂壁の中には第二電磁石が設置され、前記第二電磁石と前記第二永久磁石との間には第二ばねが弾性的に設置される；前記物干しロッドが変位しないことを保証することを特徴とする請求項１に記載の収納できる携帯しやすいハンガーラック。
【発明の詳細な説明】
【技術分野】
【０００１】
本発明は生活用品分野を取り上げて、具体的には収納できる携帯しやすいハンガーラックである。
【背景技術】
【０００２】
目下、ハンガーは各自の家庭生活の必備用品であり、従来のハンガーラックの構成は比較的に固定され、しかもスペースを取り、ハンガーラックを比較的に遠い距離に移動させる時、とても不便であり、且つ、ハンガーラック商品を輸送する時にコストが高い。そのため、現有技術の中のハンガーラックを更に改善する必要があり、これによりハンガーラックの持ち運びやすさを高める。
【先行技術文献】
【特許文献】
【０００３】
【特許文献１】中国特許出願公開第１０８６０６６０３号明細書
【発明の概要】
【発明が解決しようとする課題】
【０００４】
本発明は収納できる携帯しやすいハンガーラックを提供し、従来技術における上記欠点を解消することを目的とする。
【課題を解決するための手段】
【０００５】
本発明の収納できる携帯しやすいハンガーラックは、底ブロックを含み、前記底ブロックの中には中ブロックが上下にスライドできるように設置され、前記中ブロックの中には頂ブロックが上下にスライドできるように設置され、前記底ブロックの中には支持チャンバが設置され、前記支持チャンバの中には支持機構が設置され、前記頂ブロックの中には物干しチャンバが設置され、前記物干しチャンバの中には物干し装置が設置され、前記頂ブロックの下壁の中には動力チャンバが設置され、前記動力チャンバの中には駆動機構が設置され、前記駆動機構は動力軸及びモータを含み、前記動力軸が前記動力チャンバの中に回転できるように設置され、前記モータが前記動力チャンバの右壁の中に固定的に設置され、前記動力軸が前記モータと動力が伝達できるように連結され、前記動力軸の左端には第一プライマリベベルギヤが固定的に設置され、前記頂ブロックの中には伝動装置が設置され、前記伝動装置には伸縮機構が設置され、前記駆動機構は前記伝動装置により前記支持機構及び前記物干し装置を連動させて回転させることができる；本発明設備は前記伝動機構によりハンガーラックの収縮を連動させることができる。
【０００６】
好ましくは、前記動力チャンバの下壁の中には上伝動チャンバが設置され、前記伝動装置は前記上伝動チャンバの中に設置される外軸を含み、前記外軸の中には中軸がスライドできるように設置され、前記中軸が前記外軸とスプラインにより係合され、前記中軸の中には内軸がスライドできるように設置され、前記内軸が前記中軸とスプラインにより係合され、前記外軸の頂端には前記第一プライマリベベルギヤと噛み合っている上伝動ベベルギヤが設置され、前記外軸の外壁には伝動ギヤが固定的に設置され、前記支持チャンバの左壁の中には下伝動チャンバが設置され、前記内軸の底端には下伝動ベベルギヤが固定的に設置され、前記伸縮機構は前記中軸の底端に設置される下ネジロッドを含み、前記下ネジロッドと前記底ブロックの内壁とがネジ山により係合され、前記外軸の底端には上ネジロッドが設置され、前記上ネジロッドと前記中ブロックの内壁とがネジ山により係合される；本発明設備は前記伝動機構により動力を各機構に伝達する。
【０００７】
好ましくは、前記底ブロックの中には四組の前記支持チャンバが対称的に設置され、ここは図に示した右側の一組を例として詳しく説明し、前記支持機構は前記支持チャンバの中に設置される支持脚を含み、前記支持チャンバの中には右軸が回転できるように設置され、前記右軸の後端には前記支持脚と噛み合っている支持ギヤが固定的に設置され、前記右軸の前端にはセカンダリプーリが固定的に設置され、前記支持チャンバの中には左軸が回転できるように設置され、前記左軸の前端にはプライマリプーリが固定的に設置され、前記プライマリプーリと前記セカンダリプーリとの間にはベルトが伝動できるように設置され、前記左軸の後端には支持ベベルギヤが固定的に設置され、前記下伝動チャンバの中には延伸軸が回転できるように設置され、前記延伸軸の右端には前記支持ベベルギヤと噛み合っているセカンダリベベルギヤが固定的に設置され、前記延伸軸の左端には前記下伝動ベベルギヤと噛み合っている第二プライマリベベルギヤが固定的に設置され、前記支持チャンバの頂端の中には第一リミット溝が設置され、前記第一リミット溝の中には第一永久磁石がスライドできるように設置され、前記第一永久磁石が前記支持脚と係合され、前記第一リミット溝の左壁の中には第一電磁石が設置され、前記第一電磁石と前記第一永久磁石との間には第一ばねが弾性的に設置される；前記支持脚が変位しないことを保証し、本発明設備の安定性を保証する。
【０００８】
好ましくは、前記頂ブロックの中には四組の前記物干しチャンバが対称的に設置され、ここは図に示した右側の一組を例として詳しく説明し、前記物干し装置は前記物干しチャンバの中に設置される物干しロッドを含み、前記物干しチャンバの左壁の中には延伸チャンバが設置され、前記物干しチャンバの中には縦軸が設置され、前記縦軸の後端には前記物干しロッドと噛み合っている物干しギヤが固定的に設置され、前記縦軸の前端には副ベベルギヤが固定的に設置され、前記物干しチャンバの中には横軸が回転できるように設置され、前記横軸の右端には前記副ベベルギヤと噛み合っている右ベベルギヤが固定的に設置され、前記横軸の左端には左ベベルギヤが固定的に設置され、前記延伸チャンバの中には鉛直軸が回転できるように設置され、前記鉛直軸の頂端には前記左ベベルギヤと噛み合っている正ベベルギヤが固定的に設置され、前記鉛直軸の底端には前記伝動ギヤと噛み合っている物干し主ギヤが固定的に設置され、前記物干しチャンバの右壁の中には第二リミット溝が設置され、前記第二リミット溝の中には第二永久磁石がスライドできるように設置され、前記第二永久磁石が前記物干しロッドと係合され、前記第二リミット溝の頂壁の中には第二電磁石が設置され、前記第二電磁石と前記第二永久磁石との間には第二ばねが弾性的に設置される；前記物干しロッドが変位しないことを保証する。
【発明の効果】
【０００９】
本発明の有益効果は：本発明は構成が簡単で、操作が便利で、収納しやすく、使用される時も使用されていない時もあまりスペースを取らなく、空間の利用率を高め、同時に、この設備の遠距離輸送のコストを下げ、そのため、この設備には高い使用と普及の価値がある。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行う。
【００１１】
【図１】図１は本発明の収納できる携帯しやすいハンガーラックの全体構成模式図である；
【図２】図２は本発明の収納できる携帯しやすいハンガーラックの作動状態の模式図である；
【図３】図３は図１の中のＡの構成模式図である；
【図４】図４は図１の中のＢの構成模式図である。
【発明を実施するための形態】
【００１２】
以下に上記図示を交えて本発明について詳しく説明する。便利に叙述するために、現在は後文に出る方位を下記の通りに規定する：後文に出る上下左右前後方向は図１本体の投影関係の上下左右前後方向と一致する。
【００１３】
図１〜４に示すように、本発明の収納できる携帯しやすいハンガーラックは、底ブロック１５を含み、前記底ブロック１５の中には中ブロック１６が上下にスライドできるように設置され、前記中ブロック１６の中には頂ブロック１１が上下にスライドできるように設置され、前記底ブロック１５の中には支持チャンバ６３が設置され、前記支持チャンバ６３の中には支持機構２００が設置され、前記頂ブロック１１の中には物干しチャンバ４０が設置され、前記物干しチャンバ４０の中には物干し装置３００が設置され、前記頂ブロック１１の下壁の中には動力チャンバ２９が設置され、前記動力チャンバ２９の中には駆動機構が設置され、前記駆動機構は動力軸３１及びモータ３２を含み、前記動力軸３１が前記動力チャンバ２９の中に回転できるように設置され、前記モータ３２が前記動力チャンバ２９の右壁の中に固定的に設置され、前記動力軸３１が前記モータ３２と動力が伝達できるように連結され、前記動力軸３１の左端には第一プライマリベベルギヤ３０が固定的に設置され、前記頂ブロック１１の中には伝動装置１００が設置され、前記伝動装置１００には伸縮機構が設置され、前記駆動機構は前記伝動装置１００により前記支持機構２００及び前記物干し装置３００を連動させて回転させることができる；本発明設備は前記伝動機構によりハンガーラックの収縮を連動させることができる。
【００１４】
有益的には、前記動力チャンバ２９の下壁の中には上伝動チャンバ３８が設置され、前記伝動装置１００は前記上伝動チャンバ３８の中に設置される外軸１７を含み、前記外軸１７の中には中軸１８がスライドできるように設置され、前記中軸１８が前記外軸１７とスプラインにより係合され、前記中軸１８の中には内軸１９がスライドできるように設置され、前記内軸１９が前記中軸１８とスプラインにより係合され、前記外軸１７の頂端には前記第一プライマリベベルギヤ３０と噛み合っている上伝動ベベルギヤ３３が設置され、前記外軸１７の外壁には伝動ギヤ３７が固定的に設置され、前記支持チャンバ６３の左壁の中には下伝動チャンバ５２が設置され、前記内軸１９の底端には下伝動ベベルギヤ５１が固定的に設置され、前記伸縮機構は前記中軸１８の底端に設置される下ネジロッド２１を含み、前記下ネジロッド２１と前記底ブロック１５の内壁とがネジ山により係合され、前記外軸１７の底端には上ネジロッド２０が設置され、前記上ネジロッド２０と前記中ブロック１６の内壁とがネジ山により係合される；本発明設備は前記伝動機構により動力を各機構に伝達する。
【００１５】
有益的には、前記底ブロック１５の中には四組の前記支持チャンバ６３が対称的に設置され、ここは図１に示した右側の一組を例として詳しく説明し、前記支持機構２００は前記支持チャンバ６３の中に設置される支持脚２２を含み、前記支持チャンバ６３の中には右軸６２が回転できるように設置され、前記右軸６２の後端には前記支持脚２２と噛み合っている支持ギヤ６０が固定的に設置され、前記右軸６２の前端にはセカンダリプーリ６１が固定的に設置され、前記支持チャンバ６３の中には左軸５８が回転できるように設置され、前記左軸５８の前端にはプライマリプーリ５７が固定的に設置され、前記プライマリプーリ５７と前記セカンダリプーリ６１との間にはベルト５９が伝動できるように設置され、前記左軸５８の後端には支持ベベルギヤ５６が固定的に設置され、前記下伝動チャンバ５２の中には延伸軸５４が回転できるように設置され、前記延伸軸５４の右端には前記支持ベベルギヤ５６と噛み合っているセカンダリベベルギヤ５５が固定的に設置され、前記延伸軸５４の左端には前記下伝動ベベルギヤ５１と噛み合っている第二プライマリベベルギヤ５３が固定的に設置され、前記支持チャンバ６３の頂端の中には第一リミット溝６５が設置され、前記第一リミット溝６５の中には第一永久磁石６４がスライドできるように設置され、前記第一永久磁石６４が前記支持脚２２と係合され、前記第一リミット溝６５の左壁の中には第一電磁石６７が設置され、前記第一電磁石６７と前記第一永久磁石６４との間には第一ばね６６が弾性的に設置される；前記支持脚５４が変位しないことを保証し、本発明設備の安定性を保証する。
【００１６】
有益的には、前記頂ブロック１１の中には四組の前記物干しチャンバ４０が対称的に設置され、ここは図１に示した右側の一組を例として詳しく説明し、前記物干し装置３００は前記物干しチャンバ４０の中に設置される物干しロッド１４を含み、前記物干しチャンバ４０の左壁の中には延伸チャンバ３４が設置され、前記物干しチャンバ４０の中には縦軸４３が設置され、前記縦軸４３の後端には前記物干しロッド１４と噛み合っている物干しギヤ４１が固定的に設置され、前記縦軸４３の前端には副ベベルギヤ４２が固定的に設置され、前記物干しチャンバ４０の中には横軸４９が回転できるように設置され、前記横軸４９の右端には前記副ベベルギヤ４２と噛み合っている右ベベルギヤ４８が固定的に設置され、前記横軸４９の左端には左ベベルギヤ５０が固定的に設置され、前記延伸チャンバ３４の中には鉛直軸３６が回転できるように設置され、前記鉛直軸３６の頂端には前記左ベベルギヤ５０と噛み合っている正ベベルギヤ３５が固定的に設置され、前記鉛直軸３６の底端には前記伝動ギヤ３７と噛み合っている物干し主ギヤ３９が固定的に設置され、前記物干しチャンバ４０の右壁の中には第二リミット溝４６が設置され、前記第二リミット溝４６の中には第二永久磁石４４がスライドできるように設置され、前記第二永久磁石４４が前記物干しロッド１４と係合され、前記第二リミット溝４６の頂壁の中には第二電磁石４７が設置され、前記第二電磁石４７と前記第二永久磁石４４との間には第二ばね４５が弾性的に設置される；前記物干しロッド１４が変位しないことを保証する。
【００１７】
初期状態において、第二永久磁石４４が物干しロッド１４との係合から離脱し、第一永久磁石６４が支持脚２２との係合から離脱し、頂ブロック１１が最大限で下方に位置しており、支持脚２２が底ブロック１５の表面と係合され、物干しロッド１４が底ブロック１５の表面と係合される；
【００１８】
この設備を使用する時、モータ３２が作動し始め、更に動力軸３１により第一プライマリベベルギヤ３０を連動させて回転させ、第一プライマリベベルギヤ３０が順に上伝動ベベルギヤ３３と、外軸１７と、中軸１８と、内軸１９と、下伝動ベベルギヤ５１と、第二プライマリベベルギヤ５３と、延伸軸５４と、セカンダリベベルギヤ５５と、支持ベベルギヤ５６と、左軸５８と、プライマリプーリ５７と、セカンダリプーリ６１と、右軸６２と、支持ギヤ６０とにより支持脚２２を連動させて回転させ、この設備を地面に置き、同時に第一永久磁石６４が支持脚２２と係合され、同時に、外軸１７が上ネジロッド２０を連動させて回転させ、更に頂ブロック１１を連動させて上へスライドさせ、同時に、中軸１８が下ネジロッド２１を連動させて回転させ、更に中ブロック１６を連動させて上へスライドさせ、それと同時に、外軸１７が順に伝動ギヤ３７と、物干し主ギヤ３９と、鉛直軸３６と、正ベベルギヤ３５と、左ベベルギヤ５０と、横軸４９と、右ベベルギヤ４８と、副ベベルギヤ４２と、縦軸４３と、物干しギヤ４１とにより回転し、更に物干しロッド１４を連動させて回転させ、同時に第二永久磁石４４が物干しロッド１４と係合され、モータ３２が作動を停止し、収納する時、第二電磁石４７が通電し、更に第二永久磁石４４が上へスライドし、且つ物干しロッド１４との係合から離脱し、第一電磁石６７が通電し、更に第一永久磁石６４が左側へスライドし、且つ支持脚２２との係合から離脱し、同時に、モータ３２が逆方向へ作動し、頂ブロック１１が下へ底部までスライドする。
【００１９】
本発明の有益効果は：本発明は構成が簡単で、操作が便利で、収納しやすく、使用される時も使用されていない時もあまりスペースを取らなく、空間の利用率を高め、同時に、この設備の遠距離輸送のコストを下げ、そのため、この設備には高い使用と普及の価値がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020146421.tif 000003
【図２】
2020146421.tif 000004
【図３】
2020146421.tif 000005
【図４】
2020146421.tif 000006
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
底ブロックを含み、前記底ブロックの中には中ブロックが上下にスライドできるように設置され、前記中ブロックの中には頂ブロックが上下にスライドできるように設置され、前記底ブロックの中には支持チャンバが設置され、前記支持チャンバの中には支持機構が設置され、前記頂ブロックの中には物干しチャンバが設置され、前記物干しチャンバの中には物干し装置が設置され、前記頂ブロックの下壁の中には動力チャンバが設置され、前記動力チャンバの中には駆動機構が設置され、前記駆動機構は動力軸及びモータを含み、前記動力軸が前記動力チャンバの中に回転できるように設置され、前記モータが前記動力チャンバの右壁の中に固定的に設置され、前記動力軸が前記モータと動力が伝達できるように連結され、前記動力軸の左端には第一プライマリベベルギヤが固定的に設置され、前記頂ブロックの中には伝動装置が設置され、前記伝動装置には伸縮機構が設置され、前記駆動機構は前記伝動装置により前記支持機構及び前記物干し装置を連動させて回転させることができ、本発明設備は前記伝動装置によりハンガーラックの収縮を連動させることができることを特徴とする収納できる携帯しやすいハンガーラック。
【請求項２】
前記動力チャンバの下壁の中には上伝動チャンバが設置され、前記伝動装置は前記上伝動チャンバの中に設置される外軸を含み、前記外軸の中には中軸がスライドできるように設置され、前記中軸が前記外軸とスプラインにより係合され、前記中軸の中には内軸がスライドできるように設置され、前記内軸が前記中軸とスプラインにより係合され、前記外軸の頂端には前記第一プライマリベベルギヤと噛み合っている上伝動ベベルギヤが設置され、前記外軸の外壁には伝動ギヤが固定的に設置され、前記支持チャンバの左壁の中には下伝動チャンバが設置され、前記内軸の底端には下伝動ベベルギヤが固定的に設置され、前記伸縮機構は前記中軸の底端に設置される下ネジロッドを含み、前記下ネジロッドと前記底ブロックの内壁とがネジ山により係合され、前記外軸の底端には上ネジロッドが設置され、前記上ネジロッドと前記中ブロックの内壁とがネジ山により係合され、本発明設備は前記伝動装置により動力を各機構に伝達することを特徴とする請求項１に記載の収納できる携帯しやすいハンガーラック。
【請求項３】
前記底ブロックの中には四組の前記支持チャンバが対称的に設置され、ここは図に示した右側の一組を例として詳しく説明し、前記支持機構は前記支持チャンバの中に設置される支持脚を含み、前記支持チャンバの中には右軸が回転できるように設置され、前記右軸の後端には前記支持脚と噛み合っている支持ギヤが固定的に設置され、前記右軸の前端にはセカンダリプーリが固定的に設置され、前記支持チャンバの中には左軸が回転できるように設置され、前記左軸の前端にはプライマリプーリが固定的に設置され、前記プライマリプーリと前記セカンダリプーリとの間にはベルトが伝動できるように設置され、前記左軸の後端には支持ベベルギヤが固定的に設置され、前記下伝動チャンバの中には延伸軸が回転できるように設置され、前記延伸軸の右端には前記支持ベベルギヤと噛み合っているセカンダリベベルギヤが固定的に設置され、前記延伸軸の左端には前記下伝動ベベルギヤと噛み合っている第二プライマリベベルギヤが固定的に設置され、前記支持チャンバの頂端の中には第一リミット溝が設置され、前記第一リミット溝の中には第一永久磁石がスライドできるように設置され、前記第一永久磁石が前記支持脚と係合され、前記第一リミット溝の左壁の中には第一電磁石が設置され、前記第一電磁石と前記第一永久磁石との間には第一ばねが弾性的に設置され、前記支持脚が変位しないことを保証し、本発明設備の安定性を保証することを特徴とする請求項２に記載の収納できる携帯しやすいハンガーラック。
【請求項４】
前記頂ブロックの中には四組の前記物干しチャンバが対称的に設置され、ここは図に示した右側の一組を例として詳しく説明し、前記物干し装置は前記物干しチャンバの中に設置される物干しロッドを含み、前記物干しチャンバの左壁の中には延伸チャンバが設置され、前記物干しチャンバの中には縦軸が設置され、前記縦軸の後端には前記物干しロッドと噛み合っている物干しギヤが固定的に設置され、前記縦軸の前端には副ベベルギヤが固定的に設置され、前記物干しチャンバの中には横軸が回転できるように設置され、前記横軸の右端には前記副ベベルギヤと噛み合っている右ベベルギヤが固定的に設置され、前記横軸の左端には左ベベルギヤが固定的に設置され、前記延伸チャンバの中には鉛直軸が回転できるように設置され、前記鉛直軸の頂端には前記左ベベルギヤと噛み合っている正ベベルギヤが固定的に設置され、前記鉛直軸の底端には前記伝動ギヤと噛み合っている物干し主ギヤが固定的に設置され、前記物干しチャンバの右壁の中には第二リミット溝が設置され、前記第二リミット溝の中には第二永久磁石がスライドできるように設置され、前記第二永久磁石が前記物干しロッドと係合され、前記第二リミット溝の頂壁の中には第二電磁石が設置され、前記第二電磁石と前記第二永久磁石との間には第二ばねが弾性的に設置され、前記物干しロッドが変位しないことを保証することを特徴とする請求項２に記載の収納できる携帯しやすいハンガーラック。
【手続補正２】
【補正対象書類名】明細書
【補正対象項目名】全文
【補正方法】変更
【補正の内容】
【発明の詳細な説明】
【技術分野】
【０００１】
本発明は生活用品分野を取り上げて、具体的には収納できる携帯しやすいハンガーラックである。
【背景技術】
【０００２】
目下、ハンガーは各自の家庭生活の必備用品であり、従来のハンガーラックの構成は比較的に固定され、しかもスペースを取り、ハンガーラックを比較的に遠い距離に移動させる時、とても不便であり、且つ、ハンガーラック商品を輸送する時にコストが高い。そのため、現有技術の中のハンガーラックを更に改善する必要があり、これによりハンガーラックの持ち運びやすさを高める。
【先行技術文献】
【特許文献】
【０００３】
【特許文献１】中国特許出願公開第１０８６０６６０３号明細書
【発明の概要】
【発明が解決しようとする課題】
【０００４】
本発明は収納できる携帯しやすいハンガーラックを提供し、従来技術における上記欠点を解消することを目的とする。
【課題を解決するための手段】
【０００５】
本発明の収納できる携帯しやすいハンガーラックは、底ブロックを含み、前記底ブロックの中には中ブロックが上下にスライドできるように設置され、前記中ブロックの中には頂ブロックが上下にスライドできるように設置され、前記底ブロックの中には支持チャンバが設置され、前記支持チャンバの中には支持機構が設置され、前記頂ブロックの中には物干しチャンバが設置され、前記物干しチャンバの中には物干し装置が設置され、前記頂ブロックの下壁の中には動力チャンバが設置され、前記動力チャンバの中には駆動機構が設置され、前記駆動機構は動力軸及びモータを含み、前記動力軸が前記動力チャンバの中に回転できるように設置され、前記モータが前記動力チャンバの右壁の中に固定的に設置され、前記動力軸が前記モータと動力が伝達できるように連結され、前記動力軸の左端には第一プライマリベベルギヤが固定的に設置され、前記頂ブロックの中には伝動装置が設置され、前記伝動装置には伸縮機構が設置され、前記駆動機構は前記伝動装置により前記支持機構及び前記物干し装置を連動させて回転させることができ、本発明設備は前記伝動装置によりハンガーラックの収縮を連動させることができる。
【０００６】
好ましくは、前記動力チャンバの下壁の中には上伝動チャンバが設置され、前記伝動装置は前記上伝動チャンバの中に設置される外軸を含み、前記外軸の中には中軸がスライドできるように設置され、前記中軸が前記外軸とスプラインにより係合され、前記中軸の中には内軸がスライドできるように設置され、前記内軸が前記中軸とスプラインにより係合され、前記外軸の頂端には前記第一プライマリベベルギヤと噛み合っている上伝動ベベルギヤが設置され、前記外軸の外壁には伝動ギヤが固定的に設置され、前記支持チャンバの左壁の中には下伝動チャンバが設置され、前記内軸の底端には下伝動ベベルギヤが固定的に設置され、前記伸縮機構は前記中軸の底端に設置される下ネジロッドを含み、前記下ネジロッドと前記底ブロックの内壁とがネジ山により係合され、前記外軸の底端には上ネジロッドが設置され、前記上ネジロッドと前記中ブロックの内壁とがネジ山により係合され、本発明設備は前記伝動装置により動力を各機構に伝達する。
【０００７】
好ましくは、前記底ブロックの中には四組の前記支持チャンバが対称的に設置され、ここは図に示した右側の一組を例として詳しく説明し、前記支持機構は前記支持チャンバの中に設置される支持脚を含み、前記支持チャンバの中には右軸が回転できるように設置され、前記右軸の後端には前記支持脚と噛み合っている支持ギヤが固定的に設置され、前記右軸の前端にはセカンダリプーリが固定的に設置され、前記支持チャンバの中には左軸が回転できるように設置され、前記左軸の前端にはプライマリプーリが固定的に設置され、前記プライマリプーリと前記セカンダリプーリとの間にはベルトが伝動できるように設置され、前記左軸の後端には支持ベベルギヤが固定的に設置され、前記下伝動チャンバの中には延伸軸が回転できるように設置され、前記延伸軸の右端には前記支持ベベルギヤと噛み合っているセカンダリベベルギヤが固定的に設置され、前記延伸軸の左端には前記下伝動ベベルギヤと噛み合っている第二プライマリベベルギヤが固定的に設置され、前記支持チャンバの頂端の中には第一リミット溝が設置され、前記第一リミット溝の中には第一永久磁石がスライドできるように設置され、前記第一永久磁石が前記支持脚と係合され、前記第一リミット溝の左壁の中には第一電磁石が設置され、前記第一電磁石と前記第一永久磁石との間には第一ばねが弾性的に設置され、前記支持脚が変位しないことを保証し、本発明設備の安定性を保証する。
【０００８】
好ましくは、前記頂ブロックの中には四組の前記物干しチャンバが対称的に設置され、ここは図に示した右側の一組を例として詳しく説明し、前記物干し装置は前記物干しチャンバの中に設置される物干しロッドを含み、前記物干しチャンバの左壁の中には延伸チャンバが設置され、前記物干しチャンバの中には縦軸が設置され、前記縦軸の後端には前記物干しロッドと噛み合っている物干しギヤが固定的に設置され、前記縦軸の前端には副ベベルギヤが固定的に設置され、前記物干しチャンバの中には横軸が回転できるように設置され、前記横軸の右端には前記副ベベルギヤと噛み合っている右ベベルギヤが固定的に設置され、前記横軸の左端には左ベベルギヤが固定的に設置され、前記延伸チャンバの中には鉛直軸が回転できるように設置され、前記鉛直軸の頂端には前記左ベベルギヤと噛み合っている正ベベルギヤが固定的に設置され、前記鉛直軸の底端には前記伝動ギヤと噛み合っている物干し主ギヤが固定的に設置され、前記物干しチャンバの右壁の中には第二リミット溝が設置され、前記第二リミット溝の中には第二永久磁石がスライドできるように設置され、前記第二永久磁石が前記物干しロッドと係合され、前記第二リミット溝の頂壁の中には第二電磁石が設置され、前記第二電磁石と前記第二永久磁石との間には第二ばねが弾性的に設置され、前記物干しロッドが変位しないことを保証する。
【発明の効果】
【０００９】
本発明の有益効果は：本発明は構成が簡単で、操作が便利で、収納しやすく、使用される時も使用されていない時もあまりスペースを取らなく、空間の利用率を高め、同時に、この設備の遠距離輸送のコストを下げ、そのため、この設備には高い使用と普及の価値がある。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行う。
【００１１】
【図１】図１は本発明の収納できる携帯しやすいハンガーラックの全体構成模式図
【図２】図２は本発明の収納できる携帯しやすいハンガーラックの作動状態の模式図
【図３】図３は図１の中のＡの構成模式図
【図４】図４は図１の中のＢの構成模式図
【発明を実施するための形態】
【００１２】
以下に上記図示を交えて本発明について詳しく説明する。便利に叙述するために、現在は後文に出る方位を下記の通りに規定する：後文に出る上下左右前後方向は図１本体の投影関係の上下左右前後方向と一致する。
【００１３】
図１〜４に示すように、本発明の収納できる携帯しやすいハンガーラックは、底ブロック１５を含み、前記底ブロック１５の中には中ブロック１６が上下にスライドできるように設置され、前記中ブロック１６の中には頂ブロック１１が上下にスライドできるように設置され、前記底ブロック１５の中には支持チャンバ６３が設置され、前記支持チャンバ６３の中には支持機構２００が設置され、前記頂ブロック１１の中には物干しチャンバ４０が設置され、前記物干しチャンバ４０の中には物干し装置３００が設置され、前記頂ブロック１１の下壁の中には動力チャンバ２９が設置され、前記動力チャンバ２９の中には駆動機構が設置され、前記駆動機構は動力軸３１及びモータ３２を含み、前記動力軸３１が前記動力チャンバ２９の中に回転できるように設置され、前記モータ３２が前記動力チャンバ２９の右壁の中に固定的に設置され、前記動力軸３１が前記モータ３２と動力が伝達できるように連結され、前記動力軸３１の左端には第一プライマリベベルギヤ３０が固定的に設置され、前記頂ブロック１１の中には伝動装置１００が設置され、前記伝動装置１００には伸縮機構が設置され、前記駆動機構は前記伝動装置１００により前記支持機構２００及び前記物干し装置３００を連動させて回転させることができ、本発明設備は前記伝動装置によりハンガーラックの収縮を連動させることができる。
【００１４】
有益的には、前記動力チャンバ２９の下壁の中には上伝動チャンバ３８が設置され、前記伝動装置１００は前記上伝動チャンバ３８の中に設置される外軸１７を含み、前記外軸１７の中には中軸１８がスライドできるように設置され、前記中軸１８が前記外軸１７とスプラインにより係合され、前記中軸１８の中には内軸１９がスライドできるように設置され、前記内軸１９が前記中軸１８とスプラインにより係合され、前記外軸１７の頂端には前記第一プライマリベベルギヤ３０と噛み合っている上伝動ベベルギヤ３３が設置され、前記外軸１７の外壁には伝動ギヤ３７が固定的に設置され、前記支持チャンバ６３の左壁の中には下伝動チャンバ５２が設置され、前記内軸１９の底端には下伝動ベベルギヤ５１が固定的に設置され、前記伸縮機構は前記中軸１８の底端に設置される下ネジロッド２１を含み、前記下ネジロッド２１と前記底ブロック１５の内壁とがネジ山により係合され、前記外軸１７の底端には上ネジロッド２０が設置され、前記上ネジロッド２０と前記中ブロック１６の内壁とがネジ山により係合され、本発明設備は前記伝動装置により動力を各機構に伝達する。
【００１５】
有益的には、前記底ブロック１５の中には四組の前記支持チャンバ６３が対称的に設置され、ここは図１に示した右側の一組を例として詳しく説明し、前記支持機構２００は前記支持チャンバ６３の中に設置される支持脚２２を含み、前記支持チャンバ６３の中には右軸６２が回転できるように設置され、前記右軸６２の後端には前記支持脚２２と噛み合っている支持ギヤ６０が固定的に設置され、前記右軸６２の前端にはセカンダリプーリ６１が固定的に設置され、前記支持チャンバ６３の中には左軸５８が回転できるように設置され、前記左軸５８の前端にはプライマリプーリ５７が固定的に設置され、前記プライマリプーリ５７と前記セカンダリプーリ６１との間にはベルト５９が伝動できるように設置され、前記左軸５８の後端には支持ベベルギヤ５６が固定的に設置され、前記下伝動チャンバ５２の中には延伸軸５４が回転できるように設置され、前記延伸軸５４の右端には前記支持ベベルギヤ５６と噛み合っているセカンダリベベルギヤ５５が固定的に設置され、前記延伸軸５４の左端には前記下伝動ベベルギヤ５１と噛み合っている第二プライマリベベルギヤ５３が固定的に設置され、前記支持チャンバ６３の頂端の中には第一リミット溝６５が設置され、前記第一リミット溝６５の中には第一永久磁石６４がスライドできるように設置され、前記第一永久磁石６４が前記支持脚２２と係合され、前記第一リミット溝６５の左壁の中には第一電磁石６７が設置され、前記第一電磁石６７と前記第一永久磁石６４との間には第一ばね６６が弾性的に設置され、前記支持脚５４が変位しないことを保証し、本発明設備の安定性を保証する。
【００１６】
有益的には、前記頂ブロック１１の中には四組の前記物干しチャンバ４０が対称的に設置され、ここは図１に示した右側の一組を例として詳しく説明し、前記物干し装置３００は前記物干しチャンバ４０の中に設置される物干しロッド１４を含み、前記物干しチャンバ４０の左壁の中には延伸チャンバ３４が設置され、前記物干しチャンバ４０の中には縦軸４３が設置され、前記縦軸４３の後端には前記物干しロッド１４と噛み合っている物干しギヤ４１が固定的に設置され、前記縦軸４３の前端には副ベベルギヤ４２が固定的に設置され、前記物干しチャンバ４０の中には横軸４９が回転できるように設置され、前記横軸４９の右端には前記副ベベルギヤ４２と噛み合っている右ベベルギヤ４８が固定的に設置され、前記横軸４９の左端には左ベベルギヤ５０が固定的に設置され、前記延伸チャンバ３４の中には鉛直軸３６が回転できるように設置され、前記鉛直軸３６の頂端には前記左ベベルギヤ５０と噛み合っている正ベベルギヤ３５が固定的に設置され、前記鉛直軸３６の底端には前記伝動ギヤ３７と噛み合っている物干し主ギヤ３９が固定的に設置され、前記物干しチャンバ４０の右壁の中には第二リミット溝４６が設置され、前記第二リミット溝４６の中には第二永久磁石４４がスライドできるように設置され、前記第二永久磁石４４が前記物干しロッド１４と係合され、前記第二リミット溝４６の頂壁の中には第二電磁石４７が設置され、前記第二電磁石４７と前記第二永久磁石４４との間には第二ばね４５が弾性的に設置され、前記物干しロッド１４が変位しないことを保証する。
【００１７】
初期状態において、第二永久磁石４４が物干しロッド１４との係合から離脱し、第一永久磁石６４が支持脚２２との係合から離脱し、頂ブロック１１が最大限で下方に位置しており、支持脚２２が底ブロック１５の表面と係合され、物干しロッド１４が底ブロック１５の表面と係合され、
【００１８】
この設備を使用する時、モータ３２が作動し始め、更に動力軸３１により第一プライマリベベルギヤ３０を連動させて回転させ、第一プライマリベベルギヤ３０が順に上伝動ベベルギヤ３３と、外軸１７と、中軸１８と、内軸１９と、下伝動ベベルギヤ５１と、第二プライマリベベルギヤ５３と、延伸軸５４と、セカンダリベベルギヤ５５と、支持ベベルギヤ５６と、左軸５８と、プライマリプーリ５７と、セカンダリプーリ６１と、右軸６２と、支持ギヤ６０とにより支持脚２２を連動させて回転させ、この設備を地面に置き、同時に第一永久磁石６４が支持脚２２と係合され、同時に、外軸１７が上ネジロッド２０を連動させて回転させ、更に頂ブロック１１を連動させて上へスライドさせ、同時に、中軸１８が下ネジロッド２１を連動させて回転させ、更に中ブロック１６を連動させて上へスライドさせ、それと同時に、外軸１７が順に伝動ギヤ３７と、物干し主ギヤ３９と、鉛直軸３６と、正ベベルギヤ３５と、左ベベルギヤ５０と、横軸４９と、右ベベルギヤ４８と、副ベベルギヤ４２と、縦軸４３と、物干しギヤ４１とにより回転し、更に物干しロッド１４を連動させて回転させ、同時に第二永久磁石４４が物干しロッド１４と係合され、モータ３２が作動を停止し、収納する時、第二電磁石４７が通電し、更に第二永久磁石４４が上へスライドし、且つ物干しロッド１４との係合から離脱し、第一電磁石６７が通電し、更に第一永久磁石６４が左側へスライドし、且つ支持脚２２との係合から離脱し、同時に、モータ３２が逆方向へ作動し、頂ブロック１１が下へ底部までスライドする。
【００１９】
本発明の有益効果は：本発明は構成が簡単で、操作が便利で、収納しやすく、使用される時も使用されていない時もあまりスペースを取らなく、空間の利用率を高め、同時に、この設備の遠距離輸送のコストを下げ、そのため、この設備には高い使用と普及の価値がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。